Podtech/llm-jp-corpus-v4-ja_patent huggingface dataset:
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
キャニスタを車体に取り付けるための取付部をキャニスタ本体の外周部にすくなくとも２箇所以上設け、
前記取付部に車両上下方向へ延びる一対のガイド部とこれらガイド部の間を連結する連結部とを備え、
前記各ガイド部を鉛直方向下側に向かうにつれてお互いの間隔が狭くなるように鉛直方向に対して傾斜させるとともに前記取付部を鉛直方向から見た場合、前記各ガイド部をキャニスタ本体ヘの接合部からお互いの間隔が広がる方向へ延ばし、
前記取付部のうち少なくとも１箇所に配管を固定するクランプ部を備える配管固定用クランプを取り付け、
前記クランプ部にキャニスタ用の配管を固定したキャニスタ配管の固定構造において、
前記配管固定用クランプは前記ガイド部に跨るベース部とこのベース部の裏面側から前記ベース部と直交する方向へ延びるとともに前記ガイド部の外側面を挟む一対の側壁部を備え、
前記ベース部の表面側にこのベース部に設けられる配管保持部とともに配管を挟みつけて固定するクランプ部を設けるとともに、前記クランプ部の裏面と対向するよう前記ベース部に開口部を形成し、
前記配管固定用クランプ全体を樹脂材料により一体形成したことを特徴とするキャニスタ配管の固定構造。
【請求項２】
前記配管固定用クランプは前記ベース部の表面側に格子状のリブを配置し、
前記各開口部を格子状のリブで囲まれた平面状のベース部に開口したことを特徴とする請求項１に記載のキャニスタ配管の固定構造。
【手続補正２】
【補正対象書類名】明細書
【補正対象項目名】０００７
【補正方法】変更
【補正の内容】
【０００７】
この発明は、キャニスタを車体に取り付けるための取付部をキャニスタ本体の外周部にすくなくとも２箇所以上設け、前記取付部に車両上下方向へ延びる一対のガイド部とこれらガイド部の間を連結する連結部とを備え、前記各ガイド部を鉛直方向下側に向かうにつれてお互いの間隔が狭くなるように鉛直方向に対して傾斜させるとともに前記取付部を鉛直方向から見た場合、前記各ガイド部をキャニスタ本体ヘの接合部からお互いの間隔が広がる方向へ延ばし、前記取付部のうち少なくとも１箇所に配管を固定するクランプ部を備える配管固定用クランプを取り付け、前記クランプ部にキャニスタ用の配管を固定したキャニスタ配管の固定構造において、前記配管固定用クランプは前記ガイド部に跨るベース部とこのベース部の裏面側から前記ベース部と直交する方向へ延びるとともに前記ガイド部の外側面を挟む一対の側壁部を備え、前記ベース部の表面側にこのベース部に設けられる配管保持部とともに配管を挟みつけて固定するクランプ部を設けるとともに、前記クランプ部の裏面と対向するよう前記ベース部に開口部を形成し、前記配管固定用クランプ全体を樹脂材料により一体形成したことを特徴とする。
【手続補正３】
【補正対象書類名】図面
【補正対象項目名】図５
【補正方法】変更
【補正の内容】
【図５】
2012145030.tif 000001
【手続補正書】
【提出日】平成25年4月23日(2013.4.23)
【手続補正１】
【補正対象書類名】明細書
【補正対象項目名】発明の名称
【補正方法】変更
【補正の内容】
【発明の名称】ディスプレイ装置用カラーシフト低減光学フィルター及びこれを具備するディスプレイ装置
【手続補正２】
【補正対象書類名】明細書
【補正対象項目名】０００１
【補正方法】変更
【補正の内容】
【０００１】
本発明は、ディスプレイ装置用光学フィルム及びこれを具備するディスプレイ装置に係り、より詳しくは、凹状または凸状のレンズ部を有するカラーシフト低減層と、異方性吸収物質を含む外光遮蔽層とを具備し、視聴角によるカラーシフトを改善するディスプレイ装置用カラーシフト低減光学フィルム及びこれを具備するディスプレイ装置に関する。
【手続補正３】
【補正対象書類名】明細書
【補正対象項目名】００１９
【補正方法】変更
【補正の内容】
【００１９】
本発明の目的は、視聴角の増大に伴うカラーシフト現象を改善することができるディスプレイ装置用光学フィルター及びこれを具備するディスプレイ装置を提供することにある。
【手続補正４】
【補正対象書類名】明細書
【補正対象項目名】００２０
【補正方法】変更
【補正の内容】
【００２０】
本発明の他の目的は、カラーシフト現象を改善し、且つ、二重像及びヘイズの発生を抑制することができるディスプレイ装置用光学フィルター及びこれを具備するディスプレイ装置を提供することにある。
【手続補正５】
【補正対象書類名】明細書
【補正対象項目名】００２１
【補正方法】変更
【補正の内容】
【００２１】
本発明のさらなる目的は、ガンマカーブの歪み及び階調反転を改善することができるディスプレイ装置用光学フィルター及びこれを具備するディスプレイ装置を提供することにある。
【手続補正６】
【補正対象書類名】明細書
【補正対象項目名】００２２
【補正方法】変更
【補正の内容】
【００２２】
本発明のまたさらなる目的は、明室明暗比の低下を改善することができるディスプレイ装置用光学フィルター及びこれを具備するディスプレイ装置を提供することにある。
【手続補正７】
【補正対象書類名】明細書
【補正対象項目名】００２４
【補正方法】変更
【補正の内容】
【００２４】
前記目的を達成するために、本発明は、ディスプレイパネルの前方に具備されるディスプレイ装置用光学フィルターであって、カラーシフト低減層と、外光遮蔽層とを含んでなり、前記カラーシフト低減層は、層をなすバックグラウンド層と、前記バックグラウンド層に互いに離間して形成される複数の凹状または凸状レンズ部を含み、前記ディスプレイパネルから出射する光のうち、レンズ部に入射した光の出射方向を分散させて、互いに離間した前記レンズ部を通過する光と混合させ、前記外光遮蔽層は、異方性吸収物質を含むことを特徴とするディスプレイ装置用カラーシフト低減光学フィルターを提供する。
【手続補正８】
【補正対象書類名】特許請求の範囲
【補正対象項目名】全文
【補正方法】変更
【補正の内容】
【特許請求の範囲】
【請求項１】
ディスプレイパネルの前方に具備されるディスプレイ装置用光学フィルターであって、
カラーシフト低減層と、
外光遮蔽層とを含んでなり、
前記カラーシフト低減層は、層をなすバックグラウンド層と、前記バックグラウンド層に互いに離間して形成される複数の凹状または凸状レンズ部とを含み、前記ディスプレイパネルから出射する光のうち、レンズ部に入射した光の出射方向を分散させて、互いに離間した前記レンズ部を通過する光と混合させ、
前記外光遮蔽層は、異方性吸収物質を含むことを特徴とするディスプレイ装置用カラーシフト低減光学フィルター。
【請求項２】
前記異方性吸収物質の光軸は、前記光学フィルターの法線方向に沿うことを特徴とする請求項１に記載のディスプレイ装置用カラーシフト低減光学フィルター。
【請求項３】
前記異方性吸収物質は、前記異方性吸収物質の光軸と平行な方向に振動する偏光成分に対する吸収係数
【数１】
2012145942.tif 000001
が前記異方性吸収物質の光軸と垂直な方向に振動する偏光成分に対する吸収係数
【数２】
2012145942.tif 000002
よりも大きいことを特徴とする請求項２に記載のディスプレイ装置用カラーシフト低減光学フィルター。
【請求項４】
前記異方性吸収物質は、前記光学フィルターの法線と平行な方向に振動する偏光成分を前記光学フィルターの法線と垂直な方向に振動する偏光成分よりも多く吸収することを特徴とする請求項１に記載のディスプレイ装置用カラーシフト低減光学フィルター。
【請求項５】
前記異方性吸収物質は、光が前記光学フィルターの法線方向に対してより大きな角をなしながら入射するほど、光をより多く吸収することを特徴とする請求項１に記載のディスプレイ装置用カラーシフト低減光学フィルター。
【請求項６】
前記外光遮蔽層は、可視光線の全波長に対して異方性の吸収性を持つことを特徴とする請求項１に記載のディスプレイ装置用カラーシフト低減光学フィルター。
【請求項７】
前記外光遮蔽層は、グリーン波長に対して異方性の吸収性を持つ異方性吸収物質、ブルー波長に対して異方性の吸収性を持つ異方性吸収物質、及びレッド波長に対して異方性の吸収性を持つ異方性吸収物質のうち少なくとも一つを含むことを特徴とする請求項１に記載のディスプレイ装置用カラーシフト低減光学フィルター。
【請求項８】
前記外光遮蔽層は、樹脂及び液晶のうち少なくとも一つをさらに含むことを特徴とする請求項１に記載のディスプレイ装置用カラーシフト低減光学フィルター。
【請求項９】
前記樹脂及び液晶のうち少なくとも一つは、紫外線硬化性を持つことを特徴とする請求項８に記載のディスプレイ装置用カラーシフト低減光学フィルター。
【請求項１０】
前記外光遮蔽層は、前記カラーシフト低減層の前方に具備されることを特徴とする請求項１に記載のディスプレイ装置用カラーシフト低減光学フィルター。
【請求項１１】
前記光学フィルターは、配向膜をさらに含み、前記外光遮蔽層は、前記配向膜の片面に形成されることを特徴とする請求項１に記載のディスプレイ装置用カラーシフト低減光学フィルター。
【請求項１２】
前記光学フィルターは、バッキングをさらに含み、
前記カラーシフト低減層は、前記バッキングの裏面に形成され、
前記バッキングの前面に前記配向膜及び前記外光遮蔽層が順次形成されることを特徴とする請求項１１に記載のディスプレイ装置用カラーシフト低減光学フィルター。
【請求項１３】
前記レンズ部の断面は、楕円弧を含むことを特徴とする請求項１に記載のディスプレイ装置用カラーシフト低減光学フィルター。
【請求項１４】
前記バックグラウンド層は、自己粘着性を持つことを特徴とする請求項１に記載のディスプレイ装置用カラーシフト低減光学フィルター。
【請求項１５】
請求項１に記載のカラーシフト低減光学フィルターを含むことを特徴とするディスプレイ装置。
【請求項１６】
前記カラーシフト低減光学フィルターのレンズ部は、前記ディスプレイパネルと向き合う前記バックグラウンド層の裏面に形成されることを特徴とする請求項１５に記載のディスプレイ装置。
【請求項１７】
前記カラーシフト低減光学フィルターは、前記ディスプレイパネルに密着されることを特徴とする請求項１５に記載のディスプレイ装置。
【手続補正書】
【提出日】平成25年4月23日(2013.4.23)
【手続補正１】
【補正対象書類名】明細書
【補正対象項目名】発明の名称
【補正方法】変更
【補正の内容】
【発明の名称】ディスプレイ装置用カラーシフト低減光学フィルム及びこれを具備するディスプレイ装置
【手続補正２】
【補正対象書類名】明細書
【補正対象項目名】０００１
【補正方法】変更
【補正の内容】
【０００１】
本発明は、ディスプレイ装置用光学フィルム及びこれを具備するディスプレイ装置に係り、より詳しくは、凹状レンズ部及び部分充填部を具備し、視聴角によるカラーシフトを改善するディスプレイ装置用カラーシフト低減光学フィルム及びこれを具備するディスプレイ装置に関する。
【手続補正３】
【補正対象書類名】明細書
【補正対象項目名】００１８
【補正方法】変更
【補正の内容】
【００１８】
本発明の目的は、視聴角の増大に伴うカラーシフト現象を改善することができるディスプレイ装置用光学フィルム及びこれを具備するディスプレイ装置を提供することにある。
【手続補正４】
【補正対象書類名】明細書
【補正対象項目名】００１９
【補正方法】変更
【補正の内容】
【００１９】
本発明の他の目的は、カラーシフト現象を改善し、且つ、二重像の発生を抑制することができるディスプレイ装置用光学フィルム及びこれを具備するディスプレイ装置を提供することにある。
【手続補正５】
【補正対象書類名】明細書
【補正対象項目名】００２０
【補正方法】変更
【補正の内容】
【００２０】
前記目的を達成するために、本発明は、ディスプレイパネルの前方に具備されるディスプレイ装置用光学フィルムであって、層をなすバックグラウンド層と、前記バックグラウンド層に互いに離間して形成される複数の凹状レンズ部と、前記凹状レンズ部内に部分充填された部分充填部とを含み、前記部分充填部は、光拡散物質を含むことを特徴とするディスプレイ装置用カラーシフト低減光学フィルムを提供する。
【手続補正６】
【補正対象書類名】特許請求の範囲
【補正対象項目名】全文
【補正方法】変更
【補正の内容】
【特許請求の範囲】
【請求項１】
ディスプレイパネルの前方に具備されるディスプレイ装置用光学フィルムであって、
層をなすバックグラウンド層と、
前記バックグラウンド層に互いに離間して形成される複数の凹状レンズ部と、
前記凹状レンズ部内に部分充填された部分充填部とを含み、
前記部分充填部は、光拡散物質を含むことを特徴とするディスプレイ装置用カラーシフト低減光学フィルム。
【請求項２】
前記部分充填部は、前記光拡散物質が基材に混合してなることを特徴とする請求項１に記載のディスプレイ装置用カラーシフト低減光学フィルム。
【請求項３】
前記光拡散物質と前記基材の屈折率は、互いに異なることを特徴とする請求項２に記載のディスプレイ装置用カラーシフト低減光学フィルム。
【請求項４】
前記基材と前記バックグラウンド層の屈折率は、互いに同一であることを特徴とする請求項２に記載のディスプレイ装置用カラーシフト低減光学フィルム。
【請求項５】
前記基材と前記バックグラウンド層の屈折率は、互いに異なることを特徴とする請求項２に記載のディスプレイ装置用カラーシフト低減光学フィルム。
【請求項６】
前記基材の屈折率は、前記バックグラウンド層の屈折率よりも大きいことを特徴とする請求項５に記載のディスプレイ装置用カラーシフト低減光学フィルム。
【請求項７】
前記基材は、高分子樹脂であることを特徴とする請求項２に記載のディスプレイ装置用カラーシフト低減光学フィルム。
【請求項８】
前記光拡散物質は、光拡散粒子であることを特徴とする請求項１に記載のディスプレイ装置用カラーシフト低減光学フィルム。
【請求項９】
前記バックグラウンド層は、自己粘着性を持つことを特徴とする請求項１に記載のディスプレイ装置用カラーシフト低減光学フィルム。
【請求項１０】
前記レンズ部は、多角形断面ストライプパターン、多角形断面波パターン、多角形断面マトリックスパターン、多角形断面ハニカムパターン、多角形断面ドットパターン、半円形断面ストライプパターン、半円形断面波パターン、半円形断面マトリックスパターン、半円形断面ハニカムパターン、半円形断面ドットパターン、半楕円形断面ストライプパターン、半楕円形断面波パターン、半楕円形断面マトリックスパターン、半楕円形断面ハニカムパターン、半楕円形断面ドットパターン、半卵形（ｏｖａｌ）断面ストライプパターン、半卵形断面波パターン、半卵形断面マトリックスパターン、半卵形断面ハニカムパターン、及び半卵形断面ドットパターンのいずれかを有することを特徴とする請求項１に記載のディスプレイ装置用カラーシフト低減光学フィルム。
【請求項１１】
請求項１に記載のカラーシフト低減光学フィルムを含むことを特徴とするディスプレイ装置。
【請求項１２】
前記カラーシフト低減光学フィルムのレンズ部は、前記ディスプレイパネルと向き合う前記バックグラウンド層の面に形成されることを特徴とする請求項１１に記載のディスプレイ装置。
【請求項１３】
前記カラーシフト低減光学フィルムは、前記ディスプレイパネルに密着することを特徴とする請求項１１に記載のディスプレイ装置。
【手続補正書】
【提出日】平成25年4月23日(2013.4.23)
【手続補正１】
【補正対象書類名】明細書
【補正対象項目名】発明の名称
【補正方法】変更
【補正の内容】
【発明の名称】ディスプレイ装置用カラーシフト低減光学フィルム及びこれを具備するディスプレイ装置
【手続補正２】
【補正対象書類名】明細書
【補正対象項目名】０００１
【補正方法】変更
【補正の内容】
【０００１】
本発明は、ディスプレイ装置用光学フィルム及びこれを具備するディスプレイ装置に係り、より詳しくは、凹状レンズ部を具備し、視聴角によるカラーシフトを改善するディスプレイ装置用カラーシフト低減光学フィルム及びこれを具備するディスプレイ装置に関する。
【手続補正３】
【補正対象書類名】明細書
【補正対象項目名】００１９
【補正方法】変更
【補正の内容】
【００１９】
本発明の目的は、視聴角の増大に伴うカラーシフト現象を改善することができるディスプレイ装置用光学フィルム及びこれを具備するディスプレイ装置を提供することにある。
【手続補正４】
【補正対象書類名】明細書
【補正対象項目名】００２０
【補正方法】変更
【補正の内容】
【００２０】
本発明の他の目的は、カラーシフト現象を改善し、且つ、二重像及びヘイズの発生を抑制することができるディスプレイ装置用光学フィルム及びこれを具備するディスプレイ装置を提供することにある。
【手続補正５】
【補正対象書類名】明細書
【補正対象項目名】００２１
【補正方法】変更
【補正の内容】
【００２１】
本発明のさらなる目的は、ガンマカーブの歪み及び階調反転を改善することができるディスプレイ装置用光学フィルム及びこれを具備するディスプレイ装置を提供することにある。
【手続補正６】
【補正対象書類名】明細書
【補正対象項目名】００２３
【補正方法】変更
【補正の内容】
【００２３】
前記目的を達成するために、本発明は、ディスプレイパネルの前方に具備されるディスプレイ装置用光学フィルムであって、層をなすバックグラウンド層と、前記バックグラウンド層に互いに離間して形成される複数の凹状または凸状レンズ部とを含み、前記ディスプレイパネルから出射する光のうち、レンズ部に入射した光の出射方向を分散させて、互いに離間した前記レンズ部を通過する光と混合させ、前記レンズ部の断面の輪郭線は、第１の辺、第２の辺及び第３の辺を含み、前記第１の辺と第２の辺とは互いに向き合い、前記第３の辺は、前記第１の辺と第２の辺とを連結し、前記第３の辺の平均曲率は、前記第１の辺の平均曲率及び前記第２の辺の平均曲率よりも小さいことを特徴とするディスプレイ装置用カラーシフト低減光学フィルムを提供する。
【手続補正７】
【補正対象書類名】特許請求の範囲
【補正対象項目名】全文
【補正方法】変更
【補正の内容】
【特許請求の範囲】
【請求項１】
ディスプレイパネルの前方に具備されるディスプレイ装置用光学フィルムであって、
層をなすバックグラウンド層と、
前記バックグラウンド層に互いに離間して形成される複数の凹状または凸状レンズ部とを含み、
前記ディスプレイパネルから出射する光のうち、
レンズ部に入射した光の出射方向を分散させて、互いに離間した前記レンズ部の間を通過する光と混合させ、前記レンズ部の断面の輪郭線は、第１の辺、第２の辺、及び第３の辺を含み、前記第１の辺と第２の辺とは互いに向き合い、前記第３の辺は、前記第１の辺と第２の辺とを連結し、前記第３の辺の平均曲率は、前記第１の辺の平均曲率及び前記第２の辺の平均曲率よりも小さいことを特徴とするディスプレイ装置用カラーシフト低減光学フィルム。
【請求項２】
前記第３の辺の平均接線傾きは、前記第１の辺の平均接線傾き及び前記第２の辺の平均接線傾きに比べて０に近いことを特徴とする請求項１に記載のディスプレイ装置用カラーシフト低減光学フィルム。
【請求項３】
前記第３の辺の平均接線傾きは、−０．５〜０．５であることを特徴とする請求項２に記載のディスプレイ装置用カラーシフト低減光学フィルム。
【請求項４】
前記第１の辺及び第２の辺は、曲線であることを特徴とする請求項１に記載のディスプレイ装置用カラーシフト低減光学フィルム。
【請求項５】
前記第１の辺及び第２の辺は、楕円弧を含むことを特徴とする請求項４に記載のディスプレイ装置用カラーシフト低減光学フィルム。
【請求項６】
前記第３の辺は、直線を含むことを特徴とする請求項１に記載のディスプレイ装置用カラーシフト低減光学フィルム。
【請求項７】
前記レンズ部の深さ／幅の比が２以下であることを特徴とする請求項１に記載のディスプレイ装置用カラーシフト低減光学フィルム。
【請求項８】
０＜（前記第３の辺の幅／前記レンズ部のピッチ）≦１／３の関係を満たすことを特徴とする請求項１に記載のディスプレイ装置用カラーシフト低減光学フィルム。
【請求項９】
０．５≦１−（前記レンズ部の幅−前記第３の辺の幅）／前記レンズ部のピッチ≦０．９５を満たすことを特徴とする請求項１に記載のディスプレイ装置用カラーシフト低減光学フィルム。
【請求項１０】
前記レンズ部の断面の輪郭線は、前記第３の辺の中心線を軸として対称であることを特徴とする請求項１に記載のディスプレイ装置用カラーシフト低減光学フィルム。
【請求項１１】
前記バックグラウンド層は、自己粘着性を持つことを特徴とする請求項１に記載のディスプレイ装置用カラーシフト低減光学フィルム。
【請求項１２】
請求項１に記載のカラーシフト低減光学フィルムを含むことを特徴とするディスプレイ装置。
【請求項１３】
前記カラーシフト低減光学フィルムのレンズ部は、前記ディスプレイパネルと向き合う前記バックグラウンド層の裏面に形成されることを特徴とする請求項１２に記載のディスプレイ装置。
【請求項１４】
前記カラーシフト低減光学フィルムは、前記ディスプレイパネルに密着されることを特徴とする請求項１２に記載のディスプレイ装置。
【請求項１５】
前記カラーシフト低減光学フィルムは、粘着剤を介して前記ディスプレイパネルに粘着されることを特徴とする請求項１４に記載のディスプレイ装置。
【請求項１６】
前記バックグラウンド層が自己粘着性を持ち、前記ディスフレーパネルに直接付着されたことを特徴とする請求項１４に記載のディスプレイ装置。
【手続補正書】
【提出日】平成24年11月19日(2012.11.19)
【手続補正１】
【補正対象書類名】明細書
【補正対象項目名】発明の名称
【補正方法】変更
【補正の内容】
【発明の名称】カラーシフト低減光学フィルム及びこれを具備するディスプレイ装置
【手続補正２】
【補正対象書類名】明細書
【補正対象項目名】０００１
【補正方法】変更
【補正の内容】
【０００１】
本発明は、光学フィルム及びこれを具備するディスプレイ装置に係り、より詳しくは、凹状レンズ部を具備し、視聴角によるカラーシフトを改善するカラーシフト低減光学フィルム及びこれを具備するディスプレイ装置に関する。
【手続補正３】
【補正対象書類名】明細書
【補正対象項目名】００１８
【補正方法】変更
【補正の内容】
【００１８】
本発明の目的は、視聴角の増大に伴うカラーシフト現象を改善することができる光学フィルム及びこれを具備するディスプレイ装置を提供することにある。
【手続補正４】
【補正対象書類名】明細書
【補正対象項目名】００１９
【補正方法】変更
【補正の内容】
【００１９】
本発明の他の目的は、カラーシフト現象を改善し、且つ、二重像及びヘイズの発生を抑制することができる光学フィルム及びこれを具備するディスプレイ装置を提供することにある。
【手続補正５】
【補正対象書類名】明細書
【補正対象項目名】００２０
【補正方法】変更
【補正の内容】
【００２０】
本発明のさらなる目的は、カラーシフト現象を改善し、且つ、透過率に優れた光学フィルム及びこれを具備するディスプレイ装置を提供することにある。
【手続補正６】
【補正対象書類名】明細書
【補正対象項目名】００２１
【補正方法】変更
【補正の内容】
【００２１】
前記目的を達成するために、本発明は、ディスプレイパネルの前方に具備される光学フィルムであって、層をなすバックグラウンド層と、前記バックグラウンド層に互いに離間して形成される複数の凹状レンズ部と、前記凹状レンズ部内に充填された充填部とを含み、前記バックグラウンド層と前記充填部とは互いに異なる屈折率を持つことを特徴とするカラーシフト低減光学フィルムを提供する。
【手続補正７】
【補正対象書類名】明細書
【補正対象項目名】００２５
【補正方法】変更
【補正の内容】
【００２５】
前記構成によれば、本発明は、視聴角の増大に伴うカラーシフト現象を改善し、且つ、二重像及びヘイズの発生を抑制することができる光学フィルム及びこれを具備するディスプレイ装置を提供することができる。
【手続補正８】
【補正対象書類名】明細書
【補正対象項目名】００２６
【補正方法】変更
【補正の内容】
【００２６】
また、本発明は、透過率に優れた光学フィルム及びこれを具備するディスプレイ装置（ＴＮ  ＬＣＤ、ＶＡ  ＬＤＣ、ＩＰＳ  ＬＣＤなど）を提供することができる。
【手続補正９】
【補正対象書類名】特許請求の範囲
【補正対象項目名】請求項１
【補正方法】変更
【補正の内容】
【請求項１】
ディスプレイパネルの前方に具備される光学フィルムであって、
層をなすバックグラウンド層と、
前記バックグラウンド層に互いに離間して形成される複数の凹状レンズ部と、
前記凹状レンズ部内に充填された充填部と、を含み、
前記バックグラウンド層と前記充填部とは、互いに異なる屈折率を持つことを特徴とする液晶ディスプレイ装置用カラーシフト低減光学フィルム。
【手続補正１０】
【補正対象書類名】特許請求の範囲
【補正対象項目名】請求項８
【補正方法】変更
【補正の内容】
【請求項８】
請求項１に記載のカラーシフト低減光学フィルムを含むことを特徴とするディスプレイ装置。
【手続補正１１】
【補正対象書類名】特許請求の範囲
【補正対象項目名】請求項９
【補正方法】変更
【補正の内容】
【請求項９】
前記カラーシフト低減光学フィルムのレンズ部は、前記ディスプレイパネルと向き合う前記バックグラウンド層の面に形成されることを特徴とする請求項８に記載のディスプレイ装置。
【手続補正１２】
【補正対象書類名】特許請求の範囲
【補正対象項目名】請求項１０
【補正方法】変更
【補正の内容】
【請求項１０】
前記カラーシフト低減光学フィルムは、前記ディスプレイパネルに密着することを特徴とする請求項８に記載のディスプレイ装置。
【手続補正１３】
【補正対象書類名】特許請求の範囲
【補正対象項目名】請求項１１
【補正方法】変更
【補正の内容】
【請求項１１】
前記カラーシフト低減光学フィルムは、粘着剤を介して前記ディスプレイパネルに粘着されることを特徴とする請求項１０に記載のディスプレイ装置。
【手続補正１４】
【補正対象書類名】特許請求の範囲
【補正対象項目名】請求項１２
【補正方法】変更
【補正の内容】
【請求項１２】
前記バックグラウンド層が自己粘着性を持ち、前記ディスプレイパネルに直接付着されたことを特徴とする請求項１０に記載のディスプレイ装置。
【手続補正書】
【提出日】平成24年12月25日(2012.12.25)
【手続補正１】
【補正対象書類名】明細書
【補正対象項目名】発明の名称
【補正方法】変更
【補正の内容】
【発明の名称】印刷制御装置、印刷制御装置の制御方法、およびプログラム
【手続補正２】
【補正対象書類名】明細書
【補正対象項目名】０００１
【補正方法】変更
【補正の内容】
【０００１】
本発明は、印刷媒体に画像を印刷する印刷制御装置、印刷制御装置の制御方法、およびプログラムに関する。
【手続補正３】
【補正対象書類名】明細書
【補正対象項目名】００２２
【補正方法】変更
【補正の内容】
【００２２】
本発明は、印刷ジョブデータに基づく画像を迅速に印刷させることができる印刷制御装置、印刷制御装置の制御方法、およびプログラムを提供することを目的とする。
【手続補正４】
【補正対象書類名】明細書
【補正対象項目名】００２３
【補正方法】変更
【補正の内容】
【００２３】
上記課題を解決するため、本発明に係る印刷制御装置は、印刷装置に画像を印刷させる印刷制御装置であって、前記印刷制御装置に接続されている外部装置から印刷ジョブデータを受信する受信手段と、前記受信手段により受信された印刷ジョブデータに基づき、画像データを作成する第１の回路と、前記第１の回路により作成された画像データに基づき前記印刷装置に画像を印刷させる、前記第１の回路とは異なる第２の回路と、前記第１の回路と前記第２の回路とのそれぞれからアクセス可能なストレージとを有し、前記受信手段は、外部装置から受信した印刷ジョブデータを前記第２の回路に入力し、前記第２の回路は、前記受信手段により入力された当該印刷ジョブデータを前記ストレージに格納し、前記第１の回路は、前記ストレージに格納されている当該印刷ジョブデータを前記ストレージから読み出して、読み出された当該印刷ジョブデータに基づき画像データを作成することを特徴とする。
【手続補正５】
【補正対象書類名】明細書
【補正対象項目名】００２４
【補正方法】変更
【補正の内容】
【００２４】
本発明によれば、印刷ジョブデータに基づく画像を迅速に印刷させることができる。
【手続補正６】
【補正対象書類名】特許請求の範囲
【補正対象項目名】全文
【補正方法】変更
【補正の内容】
【特許請求の範囲】
【請求項１】
印刷装置に画像を印刷させる印刷制御装置であって、
前記印刷制御装置に接続されている外部装置から印刷ジョブデータを受信する受信手段と、
前記受信手段により受信された印刷ジョブデータに基づき、画像データを作成する第１の回路と、
前記第１の回路により作成された画像データに基づき前記印刷装置に画像を印刷させる、前記第１の回路とは異なる第２の回路と、
前記第１の回路と前記第２の回路とのそれぞれからアクセス可能なストレージとを有し、
前記受信手段は、外部装置から受信した印刷ジョブデータを前記第２の回路に入力し、前記第２の回路は、前記受信手段により入力された当該印刷ジョブデータを前記ストレージに格納し、前記第１の回路は、前記ストレージに格納されている当該印刷ジョブデータを前記ストレージから読み出して、読み出された当該印刷ジョブデータに基づき画像データを作成することを特徴とする印刷制御装置。
【請求項２】
前記第２の回路は、前記第１の回路により作成された画像データを取得し、取得された画像データに基づき、前記印刷装置に画像を印刷させることを特徴とする請求項１に記載の印刷制御装置。
【請求項３】
前記第１の回路と前記第２の回路とを接続するための、前記ストレージを介した接続とは異なる通信路を有し、
前記第２の回路は、前記通信路を介して、前記第１の回路により作成された画像データを取得することを特徴とする請求項１または２に記載の印刷制御装置。
【請求項４】
前記第１の回路は、前記第１の回路により作成された画像データを前記ストレージに格納し、前記第２の回路は、前記ストレージに格納されている当該画像データを前記ストレージから読み出すことにより、当該画像データを取得することを特徴とする請求項１または２に記載の印刷制御装置。
【請求項５】
前記第１の回路と前記第２の回路とを接続するための、前記ストレージを介した接続とは異なる通信路を有し、
前記第１の回路と前記第２の回路は、前記通信路を介してコマンドを通信することを特徴とする請求項１乃至４のいずれか１項に記載の印刷制御装置。
【請求項６】
前記第１の回路と前記第２の回路は、前記通信路を介して、前記ストレージにアクセスするタイミングを決めるためのコマンドの通信を行い、前記コマンドに基づくタイミングに従って、前記ストレージにアクセスすることを特徴とする請求項５に記載の印刷制御装置。
【請求項７】
外部装置から受信された印刷ジョブデータに基づいて印刷装置に画像を印刷させる印刷制御装置であって、当該受信された印刷ジョブデータに基づき画像データを作成する第１の回路と、前記第１の回路により作成された画像データに基づき前記印刷装置に画像を印刷させる、前記第１の回路とは異なる第２の回路と、前記第１の回路と前記第２の回路とのそれぞれからアクセス可能なストレージとを有する印刷制御装置の制御方法であって、
前記外部装置から受信された印刷ジョブデータを前記第２の回路に入力し、前記第２の回路が、当該入力された印刷ジョブデータを前記ストレージに格納し、前記第１の回路が、前記ストレージに格納されている当該印刷ジョブデータを前記ストレージから読み出して、読み出された当該印刷ジョブデータに基づき画像データを作成するよう前記印刷制御装置を制御することを特徴とする印刷制御装置の制御方法。
【請求項８】
請求項７に記載の印刷制御装置の制御方法をコンピュータにより実行させることを特徴とするプログラム。
【手続補正書】
【提出日】平成24年11月19日(2012.11.19)
【手続補正１】
【補正対象書類名】特許請求の範囲
【補正対象項目名】全文
【補正方法】変更
【補正の内容】
【特許請求の範囲】
【請求項１】
マンドレルと、
該マンドレルの外周に着脱可能に装着される中空円柱状のスリーブとを有し、
該スリーブの外周面に形成された微細凹凸構造を被転写体に転写するロールスタンパであって、
前記マンドレルが、前記スリーブの軸方向一方の端部の開口部に対応する部分の外径よりも、前記スリーブの軸方向他方の開口部に対応する部分の外径が大きくされ、
前記スリーブと前記マンドレルとの隙間が、前記スリーブの両端の開口部よりも、これらの間の中間部において広くされている、ロールスタンパ。
【請求項２】
前記スリーブが、純度９９％以上のアルミニウムからなる中空円柱状のアルミニウム基材の外周面に、複数の細孔を有する陽極酸化アルミナが形成されたものである、請求項１に記載のロールスタンパ。
【請求項３】
前記スリーブの両端の開口部における前記スリーブと前記マンドレルとの隙間が、４０〜１２０μｍである、請求項１または２に記載のロールスタンパ。
【請求項４】
前記中間部において、前記スリーブと前記マンドレルとの隙間に温調水が流通されることを特徴とする、請求項１乃至３のいずれか一項に記載のロールスタンパ。
【手続補正２】
【補正対象書類名】明細書
【補正対象項目名】０００８
【補正方法】変更
【補正の内容】
【０００８】
本発明のロールスタンパは、マンドレルと、該マンドレルの外周に着脱可能に装着される中空円柱状のスリーブとを有し、該スリーブの外周面に形成された微細凹凸構造を被転写体に転写するロールスタンパであって、前記マンドレルが、前記スリーブの軸方向一方の端部の開口部に対応する部分の外径よりも、前記スリーブの軸方向他方の開口部に対応する部分の外径が大きくされ、前記スリーブと前記マンドレルとの隙間が、前記スリーブの両端の開口部よりも、これらの間の中間部において広くされていることを特徴とする。
【手続補正３】
【補正対象書類名】明細書
【補正対象項目名】０００９
【補正方法】変更
【補正の内容】
【０００９】
前記スリーブは、純度９９％以上のアルミニウムからなる中空円柱状のアルミニウム基材の外周面に、複数の細孔を有する陽極酸化アルミナが形成されたものであることが好ましい。
前記スリーブの両端の開口部における前記スリーブと前記マンドレルとの隙間は、４０〜１２０μｍであることが好ましい。
前記ロールスタンパは、前記中間部において、前記スリーブと前記マンドレルとの隙間に温調水が流通されることが好ましい。
【手続補正書】
【提出日】平成24年12月17日(2012.12.17)
【手続補正１】
【補正対象書類名】特許請求の範囲
【補正対象項目名】請求項１
【補正方法】変更
【補正の内容】
【請求項１】
車両に搭載された表示装置に表示させる画像を生成する画像処理装置であって、
前記車両のドアミラーに備えられたカメラで撮影した画像を取得する画像取得手段と、
前記車両のドアミラーの格納または展開の状態に応じて、前記カメラで撮影した画像のうち前記ドアミラーの格納状態または展開状態のそれぞれに予め対応付けられた前記画像の一部の範囲を選択する画像選択手段と、
前記選択された所定範囲の画像情報を前記表示装置へ出力する画像情報出力手段と、
を備え、
前記表示装置に表示される画像が異なるように、前記ドアミラーの格納状態または展開状態のそれぞれと前記画像の一部の範囲とが対応付けられること、
を特徴とする画像処理装置。
【手続補正２】
【補正対象書類名】特許請求の範囲
【補正対象項目名】請求項８
【補正方法】変更
【補正の内容】
【請求項８】
車両に搭載された表示装置に表示させる画像を生成する画像処理方法であって、
前記車両のドアミラーに備えられたカメラで撮影した画像を取得する画像取得工程と、
前記車両のドアミラーの格納または展開の状態に応じて、前記カメラで撮影した画像のうち前記ドアミラーの格納状態または展開状態のそれぞれに予め対応付けられた前記画像の一部の範囲を選択する画像選択工程と、
前記選択された所定範囲の画像情報を前記表示装置へ出力する画像情報出力工程と、
を備え、
前記表示装置に表示される画像が異なるように、前記ドアミラーの格納状態または展開状態のそれぞれと前記画像の一部の範囲とが対応付けられること、
を特徴とする画像処理方法。
【手続補正３】
【補正対象書類名】明細書
【補正対象項目名】０００６
【補正方法】変更
【補正の内容】
【０００６】
上記課題を解決するため、請求項１の発明は、車両に搭載された表示装置に表示させる画像を生成する画像処理装置であって、前記車両のドアミラーに備えられたカメラで撮影した画像を取得する画像取得手段と、前記車両のドアミラーの格納または展開の状態に応じて、前記カメラで撮影した画像のうち前記ドアミラーの格納状態または展開状態のそれぞれに予め対応付けられた前記画像の一部の範囲を選択する画像選択手段と、前記選択された所定範囲の画像情報を前記表示装置へ出力する画像情報出力手段と、を備え、前記表示装置に表示される画像が異なるように、前記ドアミラーの格納状態または展開状態のそれぞれと前記画像の一部の範囲とが対応付けられる。
【手続補正４】
【補正対象書類名】明細書
【補正対象項目名】００１３
【補正方法】変更
【補正の内容】
【００１３】
さらに、請求項８の発明は、車両に搭載された表示装置に表示させる画像を生成する画像処理方法であって、前記車両のドアミラーに備えられたカメラで撮影した画像を取得する画像取得工程と、前記車両のドアミラーの格納または展開の状態に応じて、前記カメラで撮影した画像のうち前記ドアミラーの格納状態または展開状態のそれぞれに予め対応付けられた前記画像の一部の範囲を選択する画像選択工程と、前記選択された所定範囲の画像情報を前記表示装置へ出力する画像情報出力工程と、を備え、前記表示装置に表示される画像が異なるように、前記ドアミラーの格納状態または展開状態のそれぞれと前記画像の一部の範囲とが対応付けられる。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
平行に配置された二つの車輪を有する平行二輪ビークルにおいて、該車輪の回転中心よりも低位置に荷台部を備え、前記車輪の径を十分に大きくするとともに、前記荷台部は、前記車輪を除く車両全体の重心が前記車輪の回転中心よりも低位となる位置に設けたことを特徴とする平行二輪ビークル。
【請求項２】
前記荷台部は、前記車輪の進行方向に進退可能なウエイトを備え、この荷台部には前記車輪を駆動する駆動装置が設けられている請求項１に記載の平行二輪ビークル。
【請求項３】
前記荷台部は、着座可能なシート状の荷台部であり、該荷台部に搭乗する搭乗者を含めた車両全体の重心が前記車輪の回転中心よりも低位となる位置に設けられている請求項１または２に記載の平行二輪ビークル。
【請求項４】
前記荷台部は、前記車両全体の重心が前記車輪の回転中心から鉛直方向に位置するように調整可能な荷台部である請求項１ないし３のいずれかに記載の平行二輪ビークル。
【請求項５】
平行に配置された十分に大きい径を有する二つの車輪と、この車輪の回転中心よりも低位置に設けられた荷台部と、前記車輪の進行方向に進退可能に前記荷台部に設けられたウエイトと、前記荷台部に支持されつつ車輪を駆動する駆動装置とを備え、前記荷台部は、前記車輪を除く車両全体の重心が前記車輪の回転中心よりも低位となる位置に設けられた平行二輪ビークルにおいて、
前記車両の前後方向における該車両全体の重心位置を判別する重心判別手段と、前記荷台を前記車両の前後方向に移動させる移動手段とを備えたことを特徴とする平行二輪ビークルにおける安定姿勢保持機構。
【請求項６】
請求項５に加えて、前記重心位置が前記車輪の回転中心の鉛直方向に一致するとき前記移動手段を制動状態で維持する制動手段を備えたことを特徴とする平行二輪ビークルにおける安定姿勢保持機構。
【請求項７】
前記荷台部は、着座可能なシート状の荷台部であり、該荷台部に搭乗する搭乗者を含めた車両全体の重心が前記車輪の回転中心よりも低位となる位置に設けられている請求項５または６に記載の平行二輪ビークルにおける安定姿勢保持機構。
【請求項８】
平行に配置された十分に大きい径を有する二つの車輪と、この車輪の回転中心よりも低位置に設けられた荷台部と、荷台部に設けられ、前記荷台部に支持されつつ車輪を駆動する駆動装置と、この駆動装置を操作する操作部とを備え、前記荷台部は、前記車輪を除く車両全体の重心が前記車輪の回転中心よりも低位となる位置に設けられた平行二輪ビークルにおいて、
前記車輪に与える駆動力を制御する駆動制御部を備え、この駆動制御部は、操作部からの指令により駆動力を変化させるとき、駆動力変化以前に前記車輪に対し該駆動力とは逆のトルクを与え、指令による駆動のプラスの加速度側に車両全体の重心位置を変位させるように制御することを特徴とする平行二輪ビークルにおける走行制御方法。
【請求項９】
平行に配置された十分に大きい径を有する二つの車輪と、この車輪の回転中心よりも低位置に設けられた荷台部と、前記車輪の進行方向に進退可能に前記荷台部に設けられたウエイトと、前記荷台部に支持されつつ車輪を駆動する駆動装置と、この駆動装置を操作する操作部とを備え、前記荷台部は、前記車輪を除く車両全体の重心が前記車輪の回転中心よりも低位となる位置に設けられた平行二輪ビークルにおいて、
前記車輪に駆動力が伝達されるとき、該駆動力による駆動トルクの反作用トルクにより移動する前記車両全体の重心の位置を判別する重心位置判別手段と、この重心位置判別手段により判別された重心位置を前記車輪の回転軸の鉛直方向に移動させるために前記ウエイトを移動させるウエイト移動手段とを備え、前記車両が加速または減速する際にウエイトを移動させて走行状態を安定させることを特徴とする平行二輪ビークルにおける走行制御方法。
【請求項１０】
前記荷台部は、着座可能なシート状の荷台部であり、該荷台部に搭乗する搭乗者を含めた車両全体の重心が前記車輪の回転中心よりも低位となる位置に設けられている請求項８または９に記載の平行二輪ビークルにおける走行制御方法。
【請求項１１】
平行に配置された十分に大きい径を有する二つの車輪と、この車輪の回転中心よりも低位置に設けられた荷台部と、前記車輪の進行方向に進退可能に前記荷台部に設けられたウエイトと、前記荷台部に支持されつつ車輪を駆動する駆動装置と、この駆動装置を操作する操作部とを備え、前記荷台部は、前記車輪を除く車両全体の重心が前記車輪の回転中心よりも低位となる位置に設けられた平行二輪ビークルにおいて、
前記車輪に駆動力が伝達されるとき、該駆動力による駆動トルクの反作用トルクにより荷台部が傾倒する角度を計測する角度計測手段と、この角度計測手段により計測された荷台角度を所望角度に傾斜させる前記ウエイトを移動させるウエイト移動手段とを備えたことを特徴とする平行二輪ビークルにおける荷台部姿勢制御方法。
【請求項１２】
前記荷台部は、着座可能なシート状の荷台部であり、該荷台部に搭乗する搭乗者を含めた車両全体の重心が前記車輪の回転中心よりも低位となる位置に設けられている請求項１１に記載の平行二輪ビークルにおける荷台部姿勢制御方法。
【手続補正２】
【補正対象書類名】明細書
【補正対象項目名】０００９
【補正方法】変更
【補正の内容】
【０００９】
上記構成によれば、搭乗者を含めた車両全体の重心が車輪の回転中心よりも低位置となるため、車両の停止状態において、傾倒することを回避することができる。なお、「車両全体の重心」とは、車輪の回転中心との重量バランスを説明するための表現であり、搭乗者が搭乗する場合には搭乗者を含むが、車輪を含めないものである。従って、車輪を除く他の要素全体の重心を意味するものである。そして、二輪ビークルに搭乗者以外の搬送物を搭載する場合には、当該搭載物を含み、車輪を除く車両全体の重心を意味することとなる。
【手続補正３】
【補正対象書類名】明細書
【補正対象項目名】００３０
【補正方法】変更
【補正の内容】
【００３０】
以下、本発明の実施の形態を図面に基づいて説明する。平行二輪ビークルの実施形態は、図１に示すように、平行な両輪１Ｌ，１Ｒの中間には制御ボックス２が支持され、この制御ボックス２の上部にシート状の荷台部（以下、単にシートと称する）５が支持される構成である。平行な車輪１Ｌ，１Ｒは十分に大きな径を有しており、制御ボックス２は、車輪１Ｌ，１Ｒの車軸（回転中心）９Ｌ，９Ｒよりも低位置において連結されており、この制御ボックス２、シート５および搭乗者の全体による重心７の位置が、前記車輪１Ｌ，１Ｒの車軸９Ｌ，９Ｒよりも低位置となるように設けられている。なお、実施形態においては、荷台部５をシート状としたことから、搭乗者が荷台部５に着座することを前提として説明するが、この荷台部５はシート以外の場合もあり、搭乗者以外の搬送物を搭載することもあり得る。また、上記の制御ボックス２には、駆動装置としてのモータ（図示せず）が内蔵されており、このモータの駆動力は、制御ボックス２から車軸９Ｌ，９Ｒにプーリ等の伝達部材３Ｌ，３Ｒによって伝達される構成になっている。
【手続補正書】
【提出日】平成24年11月30日(2012.11.30)
【手続補正１】
【補正対象書類名】特許請求の範囲
【補正対象項目名】全文
【補正方法】変更
【補正の内容】
【特許請求の範囲】
【請求項１】
車両の操舵を行なう操舵機構と、該操舵機構とは機械的に接続されていない転舵輪を転舵する複数の転舵機構と、前記複数の転舵機構は電動モータを動力源とする転舵用アクチュエータを個別に備え、転舵輪を転舵するフォークリフト用ステアリング装置に於いて、
前記複数の転舵機構は各々異なった操舵角で独立に転舵輪を転舵できるように構成されており、且つ前記転舵用アクチュエータに異常が発生した場合、一方の転舵用アクチュエータの駆動力を他方の転舵用アクチュエータに機械的に伝達するフェールセーフ機構を具備することを特徴とするフォークリフト用ステアリング装置。
【請求項２】
前記転舵機構は、転舵用アクチュエータのハウジングが車両に固定してあり、転舵用アクチュエータの回転運動を揺動回転運動として出力するピットマンアームを有し、該ピットマンアームに連結されたタイロッドが移動することにより転舵輪を転舵することを特徴とする請求項１に記載のフォークリフト用ステアリング装置。
【請求項３】
前記転舵機構は、転舵用アクチュエータのハウジングが車両に固定してあり、転舵輪と回転軸を共有するギヤを有し、該ギヤは転舵用アクチュエータの回転運動を揺動回転運動に変換することにより転舵輪を転舵することを特徴とする請求項１に記載のフォークリフト用ステアリング装置。
【請求項４】
前記転舵機構は、転舵用アクチュエータのハウジングが車両に固定してあり、転舵用アクチュエータの回転軸が転舵輪の旋回軸上にあり、転舵用アクチュエータの回転運動により直接転舵輪を転舵することを特徴とする請求項１に記載のフォークリフト用ステアリング装置。
【請求項５】
前記フェールセーフ機構は、互いに係合して摺動自在であり、係合部に貫通孔を有する２本のシャフトにより構成され、前記各シャフトは個別の転舵機構に連結され、異常時にピン等を前記貫通孔に挿入して２本のシャフトを機械的に結合することを特徴とする請求項１乃至４のいずれか一項に記載のフォークリフト用ステアリング装置。
【請求項６】
前記フェールセーフ機構は、前記転舵機構部に連結用孔を備え、異常時に略コの字状のシャフトを前記連結用孔に挿入して転舵機構を機械的に結合することを特徴とする請求項１乃至４のいずれか一項に記載のフォークリフト用ステアリング装置。
【請求項７】
前記転舵用アクチュエータは、車両の左右の転舵輪に対応して、１対以上設けてあることを特徴とする請求項１乃至６のいずれか一項に記載のフォークリフト用ステアリング装置。
【請求項８】
前記転舵機構は、後輪を転舵することを特徴とする請求項１乃至７のいずれか一項に記載のフォークリフト用ステアリング装置。
【請求項９】
前記操舵機構の操舵量を検出する操舵角センサと、該操舵角センサの出力に応じて前記転舵用アクチュエータの電動モータを制御するＥＣＵと、を備えることを特徴とする請求項１乃至８のいずれか一項に記載のフォークリフト用ステアリング装置。
【請求項１０】
前記ＥＣＵは、前記複数の電動モータに対して個別に指令を出力するように構成されていることを特徴とする請求項９に記載のフォークリフト用ステアリング装置。
【請求項１１】
前記複数の電動モータと前記ＥＣＵとの間の動力線接続経路に、個別に信号切断部を有していることを特徴とする請求項９又は１０に記載のフォークリフト用ステアリング装置。
【請求項１２】
前記転舵用アクチュエータは転舵輪の転舵角を検出する転舵角センサを有し、前記ＥＣＵは、前記操舵角センサが検出した操舵量と転舵角の差分を検知し、該差分に基づいて前記電動モータを制御するように構成されていることを特徴とする請求項９乃至１１のいずれか一項に記載のフォークリフト用ステアリング装置。
【請求項１３】
前記操舵機構は、操舵反力を発生させる電動モータを有し、該電動モータは前記操舵角センサを備えていることを特徴とする請求項９乃至１２のいずれか一項に記載のフォークリフト用ステアリング装置。
【手続補正２】
【補正対象書類名】明細書
【補正対象項目名】０００９
【補正方法】変更
【補正の内容】
【０００９】
本発明は、上記問題を解決するために、車両の操舵を行なう操舵機構と、該操舵機構とは機械的に接続されていない転舵輪を転舵する複数の転舵機構と、前記複数の転舵機構は電動モータを動力源とする転舵用アクチュエータを個別に備え、転舵輪を転舵するフォークリフト用ステアリング装置に於いて、前記複数の転舵機構は各々異なった操舵角で独立に転舵輪を転舵できるように構成されており、且つ前記転舵用アクチュエータに異常が発生した場合、一方の転舵用アクチュエータの駆動力を他方の転舵用アクチュエータに機械的に伝達するフェールセーフ機構を具備することを特徴とする。
【手続補正書】
【提出日】平成24年12月21日(2012.12.21)
【手続補正１】
【補正対象書類名】特許請求の範囲
【補正対象項目名】全文
【補正方法】変更
【補正の内容】
【特許請求の範囲】
【請求項１】
前輪および後輪と、
前記前輪および前記後輪をそれぞれ回転可能に保持する車両本体と
を備え、
前記車両本体は、前方から後方に向かってより低くなるように傾斜しながら前後方向に延びるガイド棒を備え、
前記ガイド棒上の複数の位置に選択的に固定される座席ベースと、
座部および背もたれ部を有する乳母車用座席と、
足漕ぎ車用座席と
をさらに備え、
前記座席ベースは、前記乳母車用座席の前記座部および前記足漕ぎ車用座席を選択的に取り付け可能とされている、
子供用乗用車両。
【請求項２】
前記車両本体は、前記前輪を回転可能に保持する前脚部材を備え、
前記前脚部材は、前記車両本体において前記前輪が必要に応じて転向可能な状態となるように保持されていて、
前記前輪を転向させるように操作するためのものであり、前記前脚部材に連結された状態で前記車両本体に保持される、ハンドルをさらに備え、
前記ハンドルは前記車両本体に対して着脱可能とされる、
請求項１に記載の子供用乗用車両。
【請求項３】
前輪および後輪と、
前記前輪および前記後輪をそれぞれ回転可能に保持する車両本体と、
座部および背もたれ部を有する乳母車用座席と、
足漕ぎ車用座席と
を備え、
前記車両本体は、前記乳母車用座席の前記座部および前記足漕ぎ車用座席を選択的に取り付け可能とされ、
前記車両本体は、前記前輪を回転可能に保持する前脚部材を備え、
前記前脚部材は、前記車両本体において前記前輪が必要に応じて転向可能な状態となるように保持されていて、
前記前輪を転向させるように操作するためのものであり、前記前脚部材に連結された状態で前記車両本体に保持される、ハンドルをさらに備え、
前記ハンドルは前記車両本体に対して着脱可能とされ、
前記ハンドルを前記車両本体から取り除いたとき、前記乳母車用座席は、前記座部が前記前脚部材の上方を覆う状態で前記車両本体に取り付けることができるようにされている、
子供用乗用車両。
【請求項４】
前記前輪を足漕ぎにより回転駆動するためのペダルをさらに備える、請求項２または３に記載の子供用乗用車両。
【請求項５】
前記ペダルは着脱可能とされる、請求項４に記載の子供用乗用車両。
【請求項６】
前記車両本体の後部に着脱可能に取付けられる、押し棒をさらに備える、請求項１ないし５のいずれかに記載の子供用乗用車両。
【請求項７】
前記背もたれ部は前記座部に対する傾斜角度が変更可能とされる、請求項１ないし６のいずれかに記載の子供用乗用車両。
【手続補正２】
【補正対象書類名】明細書
【補正対象項目名】００１０
【補正方法】変更
【補正の内容】
【００１０】
この発明に係る子供用乗用車両は、別の局面では、前輪および後輪と、前輪および後輪をそれぞれ回転可能に保持する車両本体と、座部および背もたれ部を有する乳母車用座席と、足漕ぎ車用座席とを備え、車両本体は、乳母車用座席の座部および足漕ぎ車用座席を選択的に取り付け可能とされ、車両本体は、前輪を回転可能に保持する前脚部材を備え、前脚部材は、車両本体において前輪が必要に応じて転向可能な状態となるように保持されていて、前輪を転向させるように操作するためのものであり、前脚部材に連結された状態で車両本体に保持される、ハンドルをさらに備え、ハンドルは車両本体に対して着脱可能とされ、ハンドルを車両本体から取り除いたとき、乳母車用座席は、座部が前脚部材の上方を覆う状態で車両本体に取り付けることができるようにされている。
上記のように、前輪が転向可能な場合、前輪を足漕ぎにより回転駆動するためのペダルをさらに備えることが好ましい。また、ペダルは着脱可能とされることがより好ましい。
【手続補正３】
【補正対象書類名】明細書
【補正対象項目名】００３２
【補正方法】変更
【補正の内容】
【００３２】
乳母車状態では、図４に実線で示すように、座席ベース１８は、ガイド棒１５上の最も前方位置に固定される。この状態では、乳母車用座席１０は、座部８が前脚部材１３の上方を覆う状態となっている。図８に、座席ベース１８の固定状態が拡大されて示されている。この状態では、つまみ付きボルト２２は、第１の位置調整穴１９（図６参照）に挿入されている。座席ベース１８の上面上には、乳母車用座席１０の座部８が取付けられる。この取り付け状態の詳細は図示しないが、座部８と座席ベース１８との固定には、たとえばボルトが用いられる。ボルトの頭部は、座部８の座面の下方に位置されることが好ましく、たとえば、座部８の表面に配置されるクッション材の下方に隠れるように位置される。